(57)【要約】      （修正有）【課題】各種帽子本来の形を保ち通気性に優れ脱落を防ぎ各種帽子の各サイズを、場所を固定せず何処でも使用でき、設置場所が不要で板状に折り畳み式で運送、持ち運び、携帯にも手軽、又、商品陳列、整理などに便利な帽子ハンガーを提供する。【解決手段】帽子の表地の裏面と、ひさし部との境界に設けた帯状の裏地との間に、装着し得る円形部１０と、円形部に連結部２３を介して連結されている引っ掛け部１２とからなる。円形部１０は、線状態の一端ａが固定され、他端部が摺導し得る孔ｂを有する調節部２０を備える。連結部２３は、線状態の他端ｃが固定され、他端部ｃの直角方向にＵ字型部１１の他端ｄが固定されている屈伸部２１を備える。引っ掛け部１２は、下方部にＬ字型回転部２２を備え、このＬ字型回転部は、回転可能な回転孔ｆとその直角方向にＵ字型部の他端が回転し得る孔ｅとを有する。【選択図】図１
0003188991.tif 000002
【実用新案登録請求の範囲】
【請求項１】
帽子の表地の裏面と、ひさし部との境界に設けた帯状の裏地との間に、装着し得る円形線状で形成された円形部と、円形部の大きさを調整する調節部と、吊すための引っ掛け部と、引っ掛け部と円形部を連結するための連結部からなり、円形部は円形線状の一端が固定され、円形線状の他端は、調節部の挿通孔に挿通され、連結部の屈伸部に嵌入して固定し、調節部を左右に移動する事により円形部の大きさを変更できるようにしたことを特徴とする折り畳み式帽子ハンガー。
【請求項２】
前記連結部は屈伸部とＬ字型回転部、それらを接続するＵ字状に形成されたＵ字型部からなり、引っ掛け部の下方は、Ｌ字型回転部に回転可能に嵌入され、引っ掛け部を軸に１８０度回転し、Ｌ字型回転部の片方は、回転可能に嵌入されたＵ字型部を軸に１８０度回転する、屈伸部は、調節部の挿通孔を挿通した円形線状の他端が固定され、直角方向にＵ字型部の一端が固定されていて、屈伸軸で９０度回転して、円形部が構成する面に平行に折り畳む、ことを特徴する請求項１記載の折り畳み式帽子ハンガー。
【考案の詳細な説明】
【技術分野】
【０００１】  本考案は、各種帽子の各サイズを吊り下げ、折り畳みができる円形折り畳み式帽子ハンガーに関する。
【背景技術】
【０００２】  従来、固定された帽子掛けが種々開発されている、例えば折り畳み式帽子掛けとして、固定された本体下部に連結された腕の先端に輪が付けられている（例えば、特許文献１参照）又、形崩れ防止用帽子ハンガーとして、前部材と後部材に連結軸を介して近接離間自在に連結され後部材に引っ掛けフックが付けられている（特許文献２参照）。
【先行技術文献】
【特許文献】
【０００３】
【特許文献１】実開平２−４０２７４号公報
【特許文献２】特開平９−２０１２６８号公報
【考案の概要】
【考案が解決しようとする課題】
【０００４】  しかしながら、帽子本来の形を保ち、帽子の脱落を防ぎ通気性も良く、場所も固定せず何処でも使用でき、各種帽子の各サイズに装着可能で、使用後は板状に折り畳み収納できる帽子ハンガーがなかった。
【課題を解決するための手段】
【０００５】  本考案に係わる円形折り畳み式帽子ハンガーは、後述するように、目的を達成するため、以下の特徴点を備えている、すなわち本考案は、帽子の表地の裏面と、ひさし部との境界に設けた帯状の裏地との間に、装着し得る円形線状で形成された円形部と、円形部の大きさを調整する調節部と、吊すための引っ掛け部と、引っ掛け部と円形部を連結するための連結部からなり、円形部は円形線状の一端が固定され、円形線状の他端は、調節部の挿通孔に挿通され、連結部の屈伸部に嵌入して固定し、調節部を左右に移動する事により円形部の大きさを変更できる、【０００６】  前記連結部は屈伸部とＬ字型回転部、それらを接続するＵ字状に形成されたＵ字型部からなり、引っ掛け部の下方は、Ｌ字型回転部の一端が回転可能に接続され、引っ掛け部を軸に１８０度回転し、Ｌ字型回転部の片方は、回転可能に接続されたＵ字型部を軸に１８０度回転する、屈伸部は、調節部の挿通孔を挿通した円形線状の他端が固定され、直角方向にＵ字型部の一端が固定されていて、屈伸軸で９０度回転して、円形部が構成する面に平行に折り畳む、ことを特徴する折り畳み式帽子ハンガー。
【考案の効果】
【０００７】  本考案に係わる円形折り畳み式帽子ハンガーによれば、運動、作業、ウオーキング後、又は、置き場に苦慮し放置されがちの帽子を、天日干し、脱落を防ぎ各種帽子の各サイズを、室内、野外、車内を問わず何処でも使用でき、設置場所が不要で店舗陳列に最適である、また、折り畳み式で板状になるので、輸送、持ち運びのコスト削減に貢献する。
【図面の簡単な説明】
【０００８】
【図１】本行案に係わる円形折り畳み式帽子ハンガーの斜視面
【図２】本行案に係わる円形折り畳み式帽子ハンガーのＬ字型回転部を、下半回転した斜視面
【図３】本行案に係わる円形折り畳み式帽子ハンガーの屈伸部を、９０度開いた斜視面
【図４】本行案に係わる円形折り畳み式帽子ハンガーに帽子を装着した斜視面
【考案を実施するための形態】
【０００９】以下の、図面を参照にして、本考案に係わる円形折り畳み式帽子ハンガーの実施形態を説明する、
本考案は、帽子の表地の裏面と、ひさし部との境界に設けた帯状の裏地との間に装着し得る円形線状からなる円形部１０と、円形部の大きさを調節する調節部２０と、前記円形部を連結部２３を介して吊すための引っ掛け部１２からなる。
前記連絡部２３は、折り畳むための屈伸部２１と、引っ掛け部１２の下方部にあるＬ字型回転部２２と、それらを接続するＵ字状に形成されたＵ字型部１１から構成される。
【００１０】  円形部１０は、一周以上の円形の線状である。円形線状の一端が固定部ａに固定され、他端は、調節部２０の挿入孔ｂを挿通し、屈伸部２１の固定部ｃに固定される。
【００１１】調節部２０は、円形部１０の円形線状の一端を固定するための固定部ａと、他端を挿通するための挿通孔ｂを有する。
【００１２】連絡部２３は、折り畳むための屈伸部２１と、引っ掛け部１２の下方部にあるＬ字型回転部２２と、それらを接続するＵ字状に形成されたＵ字型部１１から構成される。
連絡部２３は、帽子の表地の裏面と、ひさし部との境界に設けた帯状の裏地との間に装着し得る円形線状からなる円形部１０に装着したときに、脱落を防ぐために、Ｕ字型部により、帽子の帯状の裏地を挟むように帽子を固定する。
【００１３】Ｌ字型回転部２２は、Ｌ字状で、Ｕ字型部の一端を回転可能に嵌入する回転孔ｅと、引っ掛け部１２を抜け止めしないように、回転可能に嵌入する回転孔ｆを備えている。
引っ掛け部１２は、Ｌ字型回転部２２に嵌入された状態で、図２のように、回転孔ｅに、嵌入されたＵ字型部を軸に、１８０度回転できる。
【００１４】屈伸部２１は、調節部２０の挿通孔から挿通した円形線状の端部を固定するための固定部ｃと、Ｕ字型部の一端が嵌入される固定部ｄと、９０度折り曲げて回転するための屈伸軸ｓからなる。
屈伸部２１は、帽子を吊り下げるときは、円形部が構成する面に対して直角方向に設定しているが、屈伸軸ｓで９０度回転して、円形部が構成する面と平行に折り畳むことができる。
【００１５】Ｕ字型部１１は、Ｕ字状に形成され、一方の端部は、Ｌ字型回転部２２の回転孔ｅに回転可能に嵌入され、他端は、屈伸部２１の固定部ｄに固定されている。
【００１６】円形折り畳み式帽子ハンガーの円形部に帽子を装着して、図４のように、引っ掛け部１２を引っ掛けて吊るすときは、帽子が下方向にぶら下がるように、連結部を構成するＬ字型回転部とＵ字型部は、帯状の裏地を挟むように装着し、円形部が構成する面に対して直角方向に出っ張って設定される。
【００１７】図２と図３は、円形折り畳み式帽子ハンガーの折り畳む工程を示す。
図２は、本考案に係わる円形折り畳み式帽子ハンガーの吊り下げ部を、円形部内に下半回転した状態を示す。
図１の状態から、引っ掛け部１２が接続されたＬ字型回転部２２は、Ｌ字型回転部２２に嵌入されたＵ字型部を軸に下に半回転して、引っ掛け部が接続されたＬ字型回転部２２が下方向に配置する。
【００１８】図３は、図２の状態から、さらに、円形折り畳み式帽子ハンガーの屈伸部を折り畳んだ状態を示す。
帽子を吊るすときは、Ｕ字型部１１を含む連結部２３は、円形部が構成する面に対して直角に位置しているが、連結部２３は、屈伸部２１の屈伸軸ｓを軸に、Ｕ字型部が、円形部と平行な平面になるように、屈伸部で９０度回転して折り畳む、それにより、円形部の面に対して出っ張りがなくなり薄型になる、これにより、円形折り畳み式帽子ハンガーをメール便などで郵送できる。
【実施例】
【００１９】  本考案の実施例に係わる円形折り畳み式帽子ハンガーは、各種帽子の各サイズを問わず、室内、野外、車内、何処でも使用可能で、型崩れ、脱落を防ぎ使用後は折り畳み、手軽に使用できる。
【産業上の利用可能性】
【００２０】  本考案に係わる円形折り畳み式帽子ハンガーは、棚や平場に並べる陳列が現状で、洋服の陳列のように、立体的に各種帽子の各サイズを何処でも陳列可能で、設置場所が不要、売り場面積の効率に効果的で、板状に折り畳み可能でメール便で、送料コスト削減。
【符号の説明】
【００２１】  １０  円形部
１１  Ｕ字型部
１２  引っ掛け部
２０  調節部
２１  屈伸部
２２  Ｌ字型回転部
２３  連結部
ａ  固定部
ｂ  挿通孔
ｃ  固定部
ｄ  固定部
ｅ  回転孔
ｆ  回転孔
ｓ  屈伸軸
【図１】
0003188991.tif 000003
【図２】
0003188991.tif 000004
【図３】
0003188991.tif 000005
【図４】
0003188991.tif 000006